【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
アクセサリ装置を装着可能なカメラであって、
前記カメラと前記アクセサリ装置との間の信号の伝達に用いられる信号伝達チャネルと、前記カメラと前記アクセサリ装置との間のデータ通信に用いられるデータ通信チャネルとを用いて行う、前記アクセサリ装置との通信を制御するカメラ制御部を有し、
前記カメラ制御部は、
前記データ通信チャネルを用いて、通信相手の指定を伴わずに行われる通信である第１の通信と、指定された通信相手と行われる通信である第２の通信とを行うことが可能であり、
前記カメラに認証されていないアクセサリ装置から前記信号伝達チャネルに出力された前記第１の通信の待機中を示す信号を検出するごとに、該アクセサリ装置と認証通信を行うことにより、前記カメラに装着されたアクセサリ装置を認証することを特徴とするカメラ。
【請求項２】
前記カメラ制御部は、前記第１の通信を用いて前記認証通信の開始を通知した後に、前記認証通信を行うことを特徴とする請求項１に記載のカメラ。
【請求項３】
前記カメラ制御部は、前記第１通信および前記第２通信を用いて前記認証通信を行うことを特徴とする請求項１または２に記載のカメラ。
【請求項４】
前記認証通信は、
前記第１の通信を用いてアクセサリ装置に認証情報の送信を要求する通信と、
前記第２の通信を用いて前記認証情報を受信する通信とを含むことを特徴とする請求項３に記載のカメラ。
【請求項５】
前記カメラに装着されるアクセサリ装置は、交換レンズ装置および該交換レンズ装置と前記カメラとの間に接続される少なくとも１つのアダプタ装置を含み、
前記カメラ制御部は、前記少なくとも１つのアダプタ装置のうち前記カメラの最も近くに接続されたアダプタ装置から前記交換レンズ装置に向かう順で前記認証通信を行うことを特徴とする請求項１乃至４のいずれか１項に記載のカメラ。
【請求項６】
前記カメラ制御部は、前記交換レンズ装置に対する前記認証通信が終了することに応じて、前記第２の通信を用いて前記交換レンズ装置および前記少なくとも１つのアダプタ装置に対して前記認証通信の終了を通知する認証終了通信を行うことを特徴とする請求項５に記載のカメラ。
【請求項７】
前記カメラ制御部は、前記信号伝達チャネルを接続および切断するチャネルスイッチを有する前記少なくとも１つのアダプタ装置を、該アダプタ装置に対する前記認証通信を行う間は前記チャネルスイッチを切断状態とし、該認証通信が完了した後は前記チャネルスイッチを接続状態とするように前記第１の通信または第２の通信を用いて制御することを特徴とする請求項５または６に記載のカメラ。
【請求項８】
前記カメラ制御部は、前記データ通信チャネルを接続および切断するチャネルスイッチを有する前記少なくとも１つのアダプタ装置を、該アダプタ装置に対する前記認証通信を行う間は前記チャネルスイッチを切断状態とし、該認証通信が完了した後は前記チャネルスイッチを接続状態とするように前記第１または第２の通信を用いて制御することを特徴とする請求項５または６に記載のカメラ。
【請求項９】
前記カメラは、前記交換レンズ装置の接続を検出する検出スイッチを有し、
前記カメラ制御部は、前記検出スイッチにより前記交換レンズ装置の接続を検出することに応じて前記認証通信を行うことを特徴とする請求項５から８のいずれか一項に記載のカメラ。
【請求項１０】
カメラに接続されるアクセサリ装置であって、
前記カメラと前記アクセサリ装置との間の信号の伝達に用いられる信号伝達チャネルと、前記カメラと前記アクセサリ装置との間のデータ通信に用いられるデータ通信チャネルを用いて行う、前記カメラとの通信を制御するアクセサリ制御部を有し、
前記アクセサリ制御部は、
前記データ通信チャネルを用いて、通信相手の指定を伴わずに行われる通信である第１の通信と指定された通信相手と行われる通信である第２の通信とを行うことが可能であり、
前記カメラに認証されていない場合に前記信号伝達チャネルに前記第１の通信の待機中を示す信号を出力し、
前記出力を検出した前記カメラと、前記アクセサリ装置を前記カメラに認証させるための認証通信を行うことを特徴とするアクセサリ装置。
【請求項１１】
前記アクセサリ制御部は、前記第１通信および前記第２通信を用いて前記認証通信を行うことを特徴とする請求項１０に記載のアクセサリ装置。
【請求項１２】
前記認証通信は、
前記第１の通信を用いて、前記カメラから前記アクセサリ装置の認証情報の送信を要求される通信と、
前記第２の通信を用いて、前記認証情報の要求に応じて、前記認証情報を前記カメラに送信する通信を含むことを特徴とする請求項１０または１１に記載のアクセサリ装置。
【請求項１３】
前記アクセサリ制御部は、前記カメラに装着されるアクセサリのうち交換レンズ装置に対する前記認証通信が終了することに応じて前記カメラから出力された、前記認証通信の終了を示すデータを受信することを特徴とする請求項１０乃至１２のいずれか１項に記載のアクセサリ装置。
【請求項１４】
前記アクセサリは、交換レンズ装置、および該交換レンズ装置と前記カメラとの間に接続される少なくとも１つのアダプタ装置のいずれかであることを特徴とする請求項１０乃至１３のいずれか１項に記載のアクセサリ装置。
【請求項１５】
前記信号伝達チャネルを接続および切断するチャネルスイッチを有し、
前記アクセサリ制御部は、前記カメラからの前記第１の通信または前記第２の通信に応じて、該アダプタ装置に対する前記認証通信が行われる間は前記チャネルスイッチを切断状態とし、該認証通信が完了した後は前記チャネルスイッチを接続状態とすることを特徴とする請求項１４に記載のアクセサリ装置。
【請求項１６】
前記データ通信チャネルを接続および切断するチャネルスイッチを有し、
前記アクセサリ制御部は、前記カメラからの前記第１の通信または前記第２の通信に応じて、該アダプタ装置に対する前記認証通信が行われる間は前記チャネルスイッチを切断状態とし、該認証通信が完了した後は前記チャネルスイッチを接続状態とすることを特徴とする請求項１４に記載のアクセサリ装置。
【請求項１７】
アクセサリ装置を装着可能なカメラであり、該カメラと前記アクセサリ装置との間の信号の伝達に用いられる信号伝達チャネルと、前記カメラと前記アクセサリ装置との間のデータ通信に用いられるデータ通信チャネルとに接続されるカメラの通信制御方法であって、
前記カメラは、前記データ通信チャネルを用いて、通信相手の指定を伴わずに行われる通信である第１の通信と、指定された通信相手と行われる通信である第２の通信とを行うことが可能であり、
前記カメラに、
前記カメラに認証されていないアクセサリ装置から前記信号伝達チャネルに出力された、前記第１の通信の待機中を示す信号を検出させるステップと、
該アクセサリ装置と認証通信を行わせるステップとを有し、
前記待機中を示す信号を検出するごとにアクセサリ装置と前記認証通信を行わせることで、前記カメラに装着されたアクセサリ装置を認証することを特徴とするカメラの通信制御方法。
【請求項１８】
カメラに接続され、信号の伝達に用いられる信号伝達チャネルと、データ通信に用いられるデータ通信チャネルとを用いて前記カメラと通信を行うアクセサリ装置の通信制御方法であって、
前記アクセサリ装置は、前記データ通信チャネルを用いて、通信相手の指定を伴わずに行われる通信である第１の通信と、指定された通信相手と行われる通信である第２の通信とを行うことが可能であり、
前記アクセサリ装置に、
前記カメラに認証されていない場合に、前記信号伝達チャネルに前記第１の通信の待機中を示す信号を出力させるステップと、
前記出力を検出した前記カメラと、前記アクセサリ装置を前記カメラに認証させるための認証通信を行わせるステップとを有することを特徴とするアクセサリ装置の通信制御方法。
【請求項１９】
アクセサリ装置を装着可能なカメラであり、該カメラと前記アクセサリ装置との間の信号の伝達に用いられる信号伝達チャネルと、前記カメラと前記アクセサリ装置との間のデータ通信に用いられるデータ通信チャネルとに接続されるカメラのコンピュータに処理を実行させるコンピュータプログラムであって、
前記カメラは、前記データ通信チャネルを用いて、通信相手の指定を伴わずに行われる通信である第１の通信と、指定された通信相手と行われる通信である第２の通信とを行うことが可能であり、
前記処理は、
前記カメラに認証されていないアクセサリ装置から前記信号伝達チャネルに出力された、前記第１の通信の待機中を示す信号を検出させるステップと、
該アクセサリ装置と認証通信を行わせるステップとを有し、
前記待機中を示す信号を検出するごとにアクセサリ装置と前記認証通信を行わせることで、前記カメラに装着されたアクセサリ装置を認証することを特徴とする通信制御プログラム。
【請求項２０】
カメラに接続され、信号の伝達に用いられる信号伝達チャネルと、データ通信に用いられるデータ通信チャネルとを用いて前記カメラと通信を行う前記アクセサリ装置のコンピュータに処理を実行させるコンピュータプログラムであって、
前記アクセサリ装置は、前記データ通信チャネルを用いて、通信相手の指定を伴わずに行われる通信である第１の通信と指定された通信相手と行われる通信である第２の通信とを行うことが可能であり、
前記処理は、
前記アクセサリ装置が前記カメラに認証されていない場合に、前記信号伝達チャネルに前記第１の通信の待機中を示す信号を出力させるステップと、
前記出力を検出した前記カメラと、前記アクセサリ装置を前記カメラに認証させるための認証通信を行わせるステップとを有することを特徴とする通信制御プログラム。
【請求項２１】
複数のアクセサリ装置と、前記複数のアクセサリ装置が接続された状態で使用可能なカメラとを有するカメラシステムであって、
前記カメラは、通信相手の指定を伴わずに行われる通信である第１の通信と、指定された通信相手と行われる通信である第２の通信とを行うことが可能なカメラ制御部を有し、
前記複数のアクセサリ装置のそれぞれは、前記カメラ制御部との間で前記第１の通信と前記第２の通信とを行うことが可能なアクセサリ制御部を有し、
前記複数のアクセサリ装置のうち前記カメラに認証されていない一つのアクセサリ装置の前記アクセサリ制御部は、前記信号伝達チャネルに前記第１の通信の待機中を示す信号を出力し、
前記カメラ制御部は、前記待機中を示す信号を検出するごとに、前記一つのアクセサリ装置と認証通信を行うことにより、前記複数のアクセサリ装置のそれぞれを順次認証することを特徴とするカメラシステム。
【手続補正２】
【補正対象書類名】明細書
【補正対象項目名】０００８
【補正方法】変更
【補正の内容】
【０００８】
本発明の一側面としてのカメラは、アクセサリ装置を装着可能なカメラであって、該カメラとアクセサリ装置との間の信号の伝達に用いられる信号伝達チャネルと、カメラとアクセサリ装置との間のデータ通信に用いられるデータ通信チャネルとを用いて行う、アクセサリ装置との通信を制御するカメラ制御部を有する。該カメラ制御部は、データ通信チャネルを用いて、通信相手の指定を伴わずに行われる通信である第１の通信と、指定された通信相手と行われる通信である第２の通信とを行うことが可能であり、カメラに認証されていないアクセサリ装置から信号伝達チャネルに出力された第１の通信の待機中を示す信号を検出するごとに、該アクセサリ装置と認証通信を行うことにより、カメラに装着されたアクセサリ装置を認証することを特徴とする。
【手続補正３】
【補正対象書類名】明細書
【補正対象項目名】０００９
【補正方法】変更
【補正の内容】
【０００９】
また、本発明の他の一側面としてのアクセサリ装置は、カメラに接続されるアクセサリ装置であって、カメラとアクセサリ装置との間の信号の伝達に用いられる信号伝達チャネルと、カメラとアクセサリ装置との間のデータ通信に用いられるデータ通信チャネルを用いて行う、カメラとの通信を制御するアクセサリ制御部を有する。該アクセサリ制御部は、データ通信チャネルを用いて、通信相手の指定を伴わずに行われる通信である第１の通信と指定された通信相手と行われる通信である第２の通信とを行うことが可能であり、カメラに認証されていない場合に信号伝達チャネルに第１の通信の待機中を示す信号を出力し、該出力を検出したカメラと、アクセサリ装置をカメラに認証させるための認証通信を行うことを特徴とする。
【手続補正４】
【補正対象書類名】明細書
【補正対象項目名】００１０
【補正方法】変更
【補正の内容】
【００１０】
また、本発明の他の一側面としてのカメラの通信制御方法は、アクセサリ装置を装着可能なカメラであり、該カメラとアクセサリ装置との間の信号の伝達に用いられる信号伝達チャネルと、カメラとアクセサリ装置との間のデータ通信に用いられるデータ通信チャネルとに接続されるカメラの通信制御方法である。カメラは、データ通信チャネルを用いて、通信相手の指定を伴わずに行われる通信である第１の通信と、指定された通信相手と行われる通信である第２の通信とを行うことが可能であり、カメラに、カメラに認証されていないアクセサリ装置から信号伝達チャネルに出力された、第１の通信の待機中を示す信号を検出させるステップと、該アクセサリ装置と認証通信を行わせるステップとを有し、待機中を示す信号を検出するごとにアクセサリ装置と認証通信を行わせることで、カメラに装着されたアクセサリ装置を認証することを特徴とする。
【手続補正５】
【補正対象書類名】明細書
【補正対象項目名】００１１
【補正方法】変更
【補正の内容】
【００１１】
さらに本発明の他の一側面としてのアクセサリ装置の通信制御方法は、カメラに接続され、信号の伝達に用いられる信号伝達チャネルと、データ通信に用いられるデータ通信チャネルとを用いてカメラと通信を行うアクセサリ装置の通信制御方法である。アクセサリ装置は、データ通信チャネルを用いて、通信相手の指定を伴わずに行われる通信である第１の通信と、指定された通信相手と行われる通信である第２の通信とを行うことが可能であり、アクセサリ装置に、カメラに認証されていない場合に、信号伝達チャネルに第１の通信の待機中を示す信号を出力させるステップと、出力を検出したカメラと、アクセサリ装置をカメラに認証させるための認証通信を行わせるステップとを有することを特徴とする。
【手続補正６】
【補正対象書類名】明細書
【補正対象項目名】００１３
【補正方法】変更
【補正の内容】
【００１３】
また、本発明の他の一側面としてのカメラシステムは、複数のアクセサリ装置と、該複数のアクセサリ装置が接続された状態で使用可能なカメラとを有するカメラシステムである。カメラは、通信相手の指定を伴わずに行われる通信である第１の通信と、指定された通信相手と行われる通信である第２の通信とを行うことが可能なカメラ制御部を有し、複数のアクセサリ装置のそれぞれは、カメラ制御部との間で第１の通信と第２の通信とを行うことが可能なアクセサリ制御部を有し、複数のアクセサリ装置のうちカメラに認証されていない一つのアクセサリ装置のアクセサリ制御部は、信号伝達チャネルに第１の通信の待機中を示す信号を出力し、カメラ制御部は、待機中を示す信号を検出するごとに、上記一つのアクセサリ装置と認証通信を行うことにより、複数のアクセサリ装置のそれぞれを順次認証することを特徴とする。